(57)【特許請求の範囲】
【請求項１】
監視カメラ用のレンズ装置（１００）であって、
外ねじ（１１０）が設けられた連結部分（１０８）を有するレンズ部材（１０２）と、
前記連結部分（１０８）を受容し、前記外ねじ（１１０）に対応する内ねじ（１１４）が設けられた貫通孔（１１２）を有する調節部材（１０４）と、
前記連結部分（１０８）を受容し、前記外ねじ（１１０）に対応する内ねじ（１１８）が設けられた受容部分（１１６）を有するホルダ部材（１０６）と
を備え、
前記レンズ装置（１００）が、前記レンズ部材（１０２）の前記連結部分（１０８）の前記外ねじ（１１０）を、前記調節部材（１０４）の前記貫通孔（１１２）の前記内ねじ（１１４）内にねじ込み、更には前記ホルダ部材（１０６）の前記受容部分（１１６）内にねじ込むことによって組み立てられ、
前記ホルダ部材（１０６）の前記受容部分（１１６）が楔形上部係合面（１２０）を有しており、前記調節部材（１０４）が相補型の楔形底部係合面（１１３）を有しており、
前記調節部材（１０４）が、前記レンズ装置（１００）の非係合状態と係合状態との間で、前記ホルダ部材（１０６）に対して螺合移動可能であり、前記係合状態では、前記調節部材（１０４）の前記楔形底部係合面（１１３）が、前記レンズ部材（１０２）をロックするために前記ホルダ部材（１０６）の前記受容部分（１１６）の前記楔形上部係合面（１２０）と楔形に係合するレンズ装置。
【請求項２】
前記受容部分（１１６）が、前記ホルダ部材（１０６）の前記受容部分（１１６）の前記楔形上部係合面（１２０）を形成する円錐台形台座（１２４）を備え、前記調節部材（１０４）が、前記調節部材（１０４）の前記楔形底部係合面（１１３）を形成する円錐台形突起（１２６）を有している、請求項１に記載のレンズ装置。
【請求項３】
前記調節部材が、前記楔形底部係合面を形成する円錐台形台座を備え、前記受容部分が、前記ホルダ部材の前記受容部分の前記楔形上部係合面を形成する円錐台形突起を有している、請求項１に記載のレンズ装置。
【請求項４】
前記ホルダ部材（１０６）の底側（１３０）に配置され、前記レンズ部材（１０２）の軸方向（１２２）に前記レンズ部材（１０２）を付勢するために、前記レンズ装置（１００）が組み立てられた状態で前記レンズ部材（１０２）を係合させるように適合された付勢部材（１２８）を更に備える、請求項１から３の何れか一項に記載のレンズ装置。
【請求項５】
前記付勢部材（１２８）が弾性ガスケットを備える、請求項４に記載のレンズ装置。
【請求項６】
前記弾性ガスケットがｚ形状を有する断面を有している、請求項５に記載のレンズ装置。
【請求項７】
前記弾性ガスケットがシリコーンゴムを含む、請求項５又は６に記載のレンズ装置。
【請求項８】
前記付勢部材（１２８）が、前記レンズ部材（１０２）及び前記ホルダ部材（１０６）と接触して配置されて、汚染物質が前記付勢部材（１２８）の内部に侵入するのを防止するための環境シール（１３２）を形成する、請求項５から７の何れか一項に記載のレンズ装置。
【請求項９】
前記付勢部材（１２８）が環形状を有している、請求項５から８の何れか一項に記載のレンズ装置。
【請求項１０】
前記ホルダ部材（１０６）が、前記ホルダ部材（１０６）の底側（１３０）に開口（１３３）を備え、前記レンズ部材（１０２）と前記底側（１３０）の近くに配置された画像センサ（２０２）との間に自由な視線を提供する、請求項１から９の何れか一項に記載のレンズ装置。
【請求項１１】
請求項１から１０の何れか一項に記載のレンズ装置（１００）を備える監視カメラ。
【発明の詳細な説明】
【技術分野】
【０００１】
本発明は、レンズ装置及びそのようなレンズ装置を備える監視カメラに関する。
【背景技術】
【０００２】
ネットワークカメラ等の監視カメラは、現場を監視するために、屋内、屋外を問わず、様々な状況で使用される。監視カメラに汎用性があることから、コスト的に有効な監視カメラに対する需要が高まっている。この需要を満たすには、監視カメラの部品コストだけではなく、それらの組み立てコストも削減することが望ましい。
【０００３】
監視カメラは、ハウジング、レンズ装置及び画像センサなどの複数の部品部品だけではなく、部品を監視カメラ内部に取り付けるための支持構造も備える。それゆえに、監視カメラの組み立てには、複雑で時間とコストを浪費する可能性のある複数のステップが必要とされる。更に、組み立てには、高精度を要する。監視カメラ内部の部品の相対位置の僅かな誤差が、例えば、監視カメラの性能を低下させるずれになり得る。監視カメラの光学要素の適切な位置合わせは、小さな誤差が、監視カメラの画像品質を著しく低下させる可能性があるような場合に、特に重要である。
【０００４】
また、監視カメラのロバスト性や耐久性を増大させることが望ましい。そのためには、現場での監視カメラの設置前、設置中及び設置後に性能を低下させる要因となる、監視カメラの環境下での振動等の変動の問題を軽減する解決策を見い出すことが望ましい。
【発明の概要】
【０００５】
上記の問題を少なくとも部分的に軽減するレンズ装置を提供することが、本発明の目的である。また、ホルダ部材におけるレンズ部材の改良された配置及び位置付けを可能にするレンズ装置を提供することが、本発明の目的である。更なる目的は、レンズ装置が、ホルダ部材に対するレンズ部材の改良されたロック及び位置合わせを可能にすることである。本発明の第１の態様によれば、これらの目的及び以下の記述から明らかになるであろう他の目的は、監視カメラ用のレンズ装置であって、レンズ装置が、外ねじが設けられた連結部分を有するレンズ部材と、連結部分を受容し、外ねじに対応する内ねじが設けられた貫通孔を有する調節部材と、連結部分を受容し、外ねじに対応する内ねじが設けられた受容部分を有するホルダ部材とを備え、レンズ装置が、調節部材の貫通孔内に、更にはホルダ部材の受容部分内に螺合されるレンズ部材の連結部分によって組み立てられ、ホルダ部材の受容部分が上部係合面を有しており、調節部材が底部係合面を有しており、調節部材が、レンズ装置の非係合状態と係合状態との間で螺合することによってホルダ部材に対して移動可能であり、係合状態では、調節部材の底部係合面が、レンズ部材をロックするためにホルダ部材の受容部分の上部係合面と楔形に係合するレンズ装置を提供することによって達成される。
【０００６】
これにより、レンズ装置の費用効率の高いアセンブリが提供される。レンズ装置の利点は、更に、レンズ部材が、係合状態においてホルダ部材に対する所望の位置で有効にロック可能であることである。
【０００７】
調節部材の底部係合面の、ホルダ部材の受容部分の上部係合面との楔形係合は、レンズ部材をホルダ部材に対してセンタリング及び位置合わせする。これにより、ホルダ部材に対するレンズ部材の光軸の位置合わせが実現される。ホルダ部材に対するレンズ部材の誤った位置合わせに関連した問題が、更に軽減される。
【０００８】
調節部材の底部係合面の、ホルダ部材の受容部分の上部係合面との楔形係合は、軸方向にレンズ部材をロックする。これにより、調節部材及びホルダ部材の相対的移動が、軸方向に沿って低減される。
【０００９】
レンズ装置の光軸は、軸方向に平行であり得る。
【００１０】
調節部材の底部係合面の、ホルダ部材の受容部分の上部係合面との楔形係合は、半径方向の力によって水平面にレンズ部材の位置をロックする。これにより、調節部材及びホルダ部材の相対的移動が、水平面で低減される。
【００１１】
調節部材の底部係合面及び受容部分の上部係合面とは、リング若しくはリングのような部分を有し得る又は備え得る。これにより、半径方向の力が、レンズ部材周囲でより均一に分散され、レンズ装置の改良されたセンタリングが実現される。ホルダ部材に対するレンズ部材の位置の簡単な調節が、非係合状態で更に提供される。レンズ装置により、レンズ部材は、軸方向に沿った所定の位置に移動しロックすることができる。
【００１２】
レンズ部材は、レンズ及びレンズを支持するための構造を備え得る。
【００１３】
レンズは、固定焦点を有するレンズであり得る。
【００１４】
「楔形に係合する（ｗｅｄｇｉｎｇｌｙ  ｅｎｇａｇｅ）」という用語は、軸に沿って接合した２つの要素の２つの係合面の嵌合と理解すべきであり、この際、係合面は、軸に対して傾斜している。「楔形に係合する」は、代替的には、楔形状係合又は楔形のような係合と表現されることもある。２つの要素の各々は、環形状であり得、したがって、第１の要素は、楔形の断面を有する環状突起を備え得、その環状突起は、対応する楔形の断面を有する環状凹部を備える第２の要素により受容される。したがって、突起及び凹部の楔形の断面により、第１及び第２の要素が位置合わせされた状態で係合可能になる。楔形のような係合はまた、２つの要素を互いに押し付ける軸方向の力を半径方向の力に変換するために使用され得、これは上述したように水平面内での移動を低減するために使用され得る。
【００１５】
受容部分は、ホルダ部材の受容部分の上部係合面を形成する円錐台形シートを備え、調節部材は、調節部材の底部係合面を形成する円錐台形突起を有し得る。これにより、円錐台形シートは、楔形状係合が実現されるように、円錐台形突起を受容するために適合される。これにより、有効な楔形状係合が実現され得る。
【００１６】
代替的には、調節部材は、底部係合面を形成する円錐台形シートを備え、受容部分は、ホルダ部材の受容部分の上部係合面を形成する円錐台形突起を有し得る。これにより、有効な楔形状係合を可能にする代替的構造が実現され得る。
【００１７】
レンズ装置は、ホルダ部材の底側に配置され、レンズ部材の軸方向にレンズ部材を付勢するために、レンズ装置が組み立てられた状態でレンズ部材を係合させるように適合された付勢部材を更に備え得る。付勢部材は、レンズ装置の軸方向にレンズ部材に力を与え、内ねじと外ねじの表面を共に押圧し得る。これにより、付勢部材は、内ねじと外ねじとの間の動きを軽減する。結果として、レンズ部材は、調節部材及びホルダ部材に対するレンズ部材の変位が打ち消されるような位置に固定される。
【００１８】
付勢部材は、弾性ガスケットを備え得る。これにより、圧縮に対する反応としてレンズ部材の軸方向に力を及ぼし得る弾力的な付勢部材が提供される。力は、圧縮方向に平行でなくてもよい。
【００１９】
弾性ガスケットは、ｚ形状の断面を有し得る。ｚ形状の弾性ガスケットは、文字ｚに似ている形状、即ち、中間部分により連結された上部分及び底部分を有する形状のガスケットと理解すべきである。上部分及び底部分は、典型的には平行であるが、幾つかの実施形態では、互いに対してねじれの位置にあってもよい。上部分又は底部分と中間部分との間に形成された角度は、異なる値を有していてもよい。角度は、例えば、４５度から９０度の範囲であり得る。角度は、弾性ガスケットが負荷にさらされるときには、更に変化し得る。角度は、負荷が弾性ガスケットに及ぶ結果、小さくなり得る。大きな負荷は、角度を更に小さくし得る。弾性ガスケットのｚ形状は、例えば、少なくとも負荷のない状態では、２つの直角部分を含み得る、即ち、各部分が、直角に交わる上面及び側面を有するステップとして形成されている。
【００２０】
ｚ形状のガスケットは、前述のレンズ装置を含まない他の用途に使用されてもよい。
【００２１】
弾性ガスケットは、シリコーンゴムを含み得る。
【００２２】
これにより、頑丈で耐久性のある弾性ガスケットが、費用効率の高い方法で提供され得る。弾性ガスケットは、例えば、モールディングによって形成され得る。
【００２３】
付勢部材は、環境シールを形成するためにレンズ部材及びホルダ部材と接触して配置され得る。これにより、弾性ガスケットは、汚染物質が付勢部材の内部に侵入するのを防止する保護層として作用する。汚染物質は、例えば、レンズ部材と調節部材との相対運動又はレンズ部材とホルダ部材との相対運動中に内ねじ及び外ねじと相互作用によって形成された破片であり得る。
【００２４】
付勢部材は、環形状を有し得る。付勢部材を介した自由な視線が、更に実現され得る。
【００２５】
ホルダ部材は、ホルダ部材の底側に開口を備え得、レンズ部材と底側の近くに配置された画像センサとの間に自由な視線を提供する。
【００２６】
ホルダ部材は、代替的には、画像センサを含み得る。
【００２７】
本発明の第２の態様によれば、上述のレンズ装置を備える監視カメラが提供される。
【００２８】
監視カメラは、映像シーケンスを提供するデジタルカメラであり得る。監視カメラデバイスの機能及び利点は、レンズ装置に関連して上述されている。上述の特徴は、適用できる場合には、この第２の態様にも適用される。本発明は、特許請求の範囲に記載されたすべての可能な特徴の組み合わせに関連することに留意されたい。
【００２９】
本発明のこれらの態様及び他の態様を、本発明の実施形態を示す添付図面を参照しながら、更に詳しくここから説明することになる。
【００３０】
図面に示すように、層と領域のサイズは例示目的で強調され、本発明の実施形態の一般構造を示すために提供される。類似の参照番号は、全体を通して類似の要素を指す。
【図面の簡単な説明】
【００３１】
【図１】本発明の１つの実施形態による監視カメラに配置されたレンズ装置の側断面図を示す。
【図２】ａは図１のレンズ装置の分解側面斜視図、ｂは図１のレンズ装置の組立側面斜視図を示す。
【図３】ａは本発明の１つの実施形態による側面斜視図における付勢部材、ｂは負荷のない状態での同一の付勢部材の側断面図、ｃは負荷のかかった状態での同一の付勢部材の側断面図を示す。
【発明を実施するための形態】
【００３２】
これより、本発明の現時点で好ましい実施形態を示す添付図面を参照して、本発明を以下により詳細に説明する。しかしながら、本発明は、多くの異なる形態で実施され得、本明細書で説明される実施形態に限定されるものと解釈されるべきではなく、むしろこれらの実施形態は、本発明が包括的で完全となるように提供されており、当業者に本発明の範囲を十分に伝えるためのものである。
【００３３】
監視カメラに配置され得るレンズ装置が、図１及び図２を参照して以下に説明される。図１は、レンズ装置１００の側断面図を示す。より明確にするため、レンズ装置１００の部品が、分解側面斜視図及び組立側面斜視図としてそれぞれ図２ａ及び図２ｂに示されている。
【００３４】
監視カメラ２００に組み立てられた状態で配置されるレンズ装置１００が、図１に更に示されている。監視カメラ２００は、画像センサ２０２とハウジング２０４とを更に備える。レンズ装置１００は、現場の画像が画像センサ２０２によって提供され得るように、現場から画像センサ２０２へ配光及び集光を行うように更に配置される。画像センサ２０２により取得された画像は、監視カメラ２００により記録された映像シーケンスの一部を形成し得る。
【００３５】
以下で、レンズ装置１００の構造及び機能が説明され、即ち、部材１０２、１０４及び１０６の位置及び相対的移動が考察される。レンズ装置１００は、レンズ部材１０２、調節部材１０４、及びホルダ部材１０６を備える。レンズ部材１０２は、外ねじ１１０が設けられた連結部分１０８を有している。
【００３６】
調節部材１０４は、連結部分１０８を受容するための貫通孔１１２を有している。レンズ部材１０２の連結部分１０８及び調節部材１０４の貫通孔１１２は、それぞれ円筒形状及び環形状を有している。貫通孔１１２には、外ねじ１１０に対応する内ねじ１１４が設けられている。調節部材１０４は、底部係合面１１３をさらに有している。
【００３７】
ホルダ部材１０６は、連結部分１０８を受容するための受容部分１１６を有している。受容部分１１６は、連結部分１０８の外ねじ１１０に対応する内ねじ１１８を有している。受容部分１１６は、上部係合面１２０を有している。
【００３８】
レンズ装置１００は、レンズ部材の連結部分１０８を調節部材１０４の貫通孔１１２内に、更にはホルダ部材１０６の受容部分１１６内に螺合することによって組み立てられる。
【００３９】
レンズ装置１００の非係合状態において、調節部材１０４は、ホルダ部材１０６に対して移動可能である。非係合状態では、レンズ部材１０２は、ホルダ部材１０６に関連して更に移動され得る。より具体的には、非係合状態で、レンズ部材１０２は、ホルダ部材１０６に対してロックされていない位置にある。したがって、非係合状態では、ホルダ部材１０６に対して、レンズ部材１０２を軸方向１２２に変位させることができる。変位は、ホルダ部材１０６においてレンジ部材１０２を上下に螺合することによって実現される。調節部材１０４は、変位中にレンズ部材１０２に追従し得る。
【００４０】
レンズ装置１００は、ホルダ部材１０６に留められている調節部材１０４によって係合状態でもたらされ得る。これは、レンズ部材１０２に接する調節部材１０４をホルダ部材１０６に対してしっかりと螺合することによって実現される。ホルダ部材１０６に対するレンズ部材１０２の位置は、係合状態で、調節部材１０４をホルダ部材１０６にしっかりと留めることによってロックされる。より具体的には、係合状態で、レンズ部材１０２は、ホルダ部材１０６に対してレンズ部材の軸方向にロックされた位置で固定される。よって、レンズ装置１００によって、レンズ部材１０２が、係合状態でホルダ部材１０６に対する所望の位置で有効にロック可能となる。結局、これによって、レンズ部材１０２と画像センサ２０２の分離が所望の値に設定され得る。
【００４１】
ホルダ部材１０６から調節部材１０４を緩めることによって、レンズ装置１００が再び係合状態から非係合状態になり得ることに留意されたい。したがって、これにより、部材１０４及び１０６は、非係合状態と係合状態との間を繰り返し移動し、改善された調節をユーザに提供し得る。
【００４２】
部材１０２、１０４及び１０６の相対的移動は、回転運動と理解すべきである。
【００４３】
レンズ部材１０２は、図２ａ及び図２ｂに示されるように、レンズ構造１０２ａ、フォーカスリング１０２ｂ、及びロックリング１０２ｃを更に備え得る。ロックリング１０２ｃは、フォーカスリング１０２ｂをレンズ構造１０２ａにロックするように適合される。レンズ構造１０２ａは、光学レンズ１０２ｄを備える。レンズ構造１０２ａが組み立てられた状態では、光学レンズ１０２ｄは、監視現場から監視カメラ２００の画像センサ２０２などの画像検出器に配光及び集光するように更に適合される。これによって、現場の画像は、画像センサ２０２により提供され得る。
【００４４】
フォーカスリング１０２ｂは、レンズ部材１０２がレンズ装置１００の組み立て中に容易に回転され得るように、レンズ部材１０２の操作を改善するために適合される。レンズ１０２ｄと画像センサ２０２との距離は、フォーカスリンツ１２０ｂの回転により非係合状態で更に有効に調節され得、即ち、ユーザが、画像センサ２０２への配光及び集光を有効に調整することができるようになる。フォーカスリング１０２ｂ及び／又は調節部材１０４は、フォーカスリング１０２ｂ及び／又は調節部材１０４を回転させるときにユーザの把持を更に改善する起伏１０５を更に備え得る。
【００４５】
以下に、係合状態でのホルダ部材１０６に対するレンズ部材１０２の位置のロック機構が記載される。底部係合面１１３の上部係合面１２０との楔形係合は、半径方向の力によって水平面にレンズ部材１０２の位置をロックする。水平面は、ここでは軸方向１２２に実質的に直角であると考えられる。半径方向の力は、受容部分１１６の楔形状及び調節部材１０４の底部係合面１１３の楔形状によって提供される。これにより、調節部材１０４の内ねじ１１４は、調節部材１０４が係合状態でロックされると、内側に向かった分力によってレンズ部材１０２の方に押圧される。したがって、調節部材１０４がホルダ部材１０６で楔形に係合する際に調節部材１０４に及ぶ下に向かう力が、レンズ部材１０２に対して介在する。レンズ部材１０２の有効な締め付けは、係合状態において内側に向かう分力によって実現される。本実施形態によれば、内側に向かう分力が半径方向に内側に向けられることに留意されたい。内側に向かう分力は、レンズ部材１０２周囲に更に分散され、レンズホルダ１０６でのレンズ部材１０２の改善されたセンタリングが提供される。
【００４６】
底部係合面１１３の上部係合面１２０との楔形係合は、レンズ部材１０２をホルダ部材１０６に対して更に位置合わせする。これにより、レンズ装置１００は、レンズ部材１０２のホルダ部材１０６に対する軸方向１２２に沿った有効な位置合わせを可能にする。よって、レンズ装置１００の誤った位置合わせに関する問題が軽減される。これにより、レンズ装置１００の費用効率の高い、簡単で正確なアセンブリが提供される。
【００４７】
本実施形態によれば、楔形係合は、受容部分１１６の上部係合面１２０を形成する円錐台形シート１２４を備える受容部分１１６、及び底部係合面１１３を形成する円錐台形突起１２６を有している調節部材１０４によって、実現される。円錐台形突起１２６は、円錐台形シート１２４と一致し、定方向の楔形係合が可能になる。円錐台形突起１２６の外面は、係合状態で円錐台形シート１２４の内面に並ぶように更に適合される。
【００４８】
レンズ装置１００は、付勢部材１２８を更に備える。付勢部材１２８は、ホルダ部材１０６の底側１３０に配置される。付勢部材１２８は、弾性ガスケットの圧縮に応じて、下に向かう力が及ぶような弾力を提供する弾性ガスケットである。レンズ部材１０２の一部が付勢部材１２８内に押圧されるようにレンズ部材１０２がホルダ部材１０６内に螺合されるときに、圧縮が実現される。要するに、付勢部材１２８は、レンズ部材１０２が軸方向１２２に付勢されるように、レンズ装置１００が組み立てられた状態で、レンズ部材１０２に係合するように配置される。これにより、付勢部材１２８は、軸方向１２２にレンズ部材１０２に力を与え、内ねじ１１４、１１８及び外ねじ１１０の表面を共に押圧し得る。よって、内ねじ１１４、１１８と外ねじ１１０との間の動きが低減される。ホルダ部材１０６に対するレンズ部材１０２の軸方向１２２の変位は、これにより軽減される。
【００４９】
図１に示されるように、弾性ガスケットがｚ形状の断面を有していることは有利である。付勢部材１２８が、レンズ部材１０２を取り囲むような環形状を有していることが更に有利である。環境シール１３２は、これにより、簡単で有効な方法で形成され得る。環境シール１３２は、付勢部材１２８がレンズ部材１０２及びホルダ部材１０６と接触するときに、形成される。環境シール１３２は、汚染物質が付勢部材１２８の内部に侵入する、要するに、環状の付勢部材１２８の開口１２９を介して侵入するのを防止し得る。汚染物質は、例えば、レンズ部材１０２と調節部材１０４との相対運動又はレンズ部材１０２とホルダ部材１０６との相対運動中に内ねじ１１４、１１８及び外ねじ１１０と相互作用によって形成された破片であり得る。
【００５０】
弾性ガスケットのｚ形状は、付勢部材１２８、ホルダ部材１０６及びレンズ部材１０２の間に空洞１３４を更に提供する。空洞１３４は、リング形状であり得る。空洞１３４は、破片又は埃の粒子を集め、そのような汚染物質が弾性ガスケットを貫通するか弾性ガスケット内に入るリスクを低減し得る。
【００５１】
ｚ形状の断面を有する弾性ガスケットの形態の付勢部材１２８の弾性特性が、図３ａから図３ｃを参照して、ここから説明されることになる。図３ａでは、付勢部材１２８が、本発明の１つの実施形態にしたがって側面斜視図に示されている。付勢部材１２８は、環形状及び文字ｚに似た形の断面を有する弾性ガスケットによって形成される。ｚ形状の断面は傾斜し、上面部分及び底面部分が、中間部分３０３によって連結された最も外側の部分３０２と最も内側の部分３０４をそれぞれ形成することに留意されたい。付勢部材に負荷のない状態では、最も外側の部分３０２及び最も内側の部分３０４は、本質的に垂直な又は軸方向への伸長部分を有し、中間部分３０３は本質的に水平な又は半径方向への伸長部分を有し得る。
【００５２】
より具体的には、弾性ガスケットは、図３ｂ及び図３ｃに示されるように、ｚ形状の断面３００を有している。図３ｂでは、ｚ形状の弾性ガスケットの側断面図が示されている。弾性ガスケットは、上面３０１ａと底面３０１ｂとの間に配置され、負荷のない状態である。要するに、表面３０１ａ及び３０１ｂは、付勢部材１２８に実質的に力が及ばないように、互いから距離ｄ０ほど離れている。この負荷のない状態で、弾性ガスケットの最も外側の部分３０２と最も内側の部分３０４は、互いに実施的に平行であり、中間部分３０３は、表面３０１ａ及び３０１ｂに実質的に平行に延びる。よって、ｚ形状の弾性ガスケットは、実質的に互いに垂直である上面３０７ａ及び側面３０７ｂを有するステップとして形成されるような２つの直角３０６ａ及び３０６ｂを含む。
【００５３】
図３ｃは、同一の弾性ガスケットであるが、負荷のかかった状態、即ち、表面３０１ａ及び３０１ｂが、代わりに、弾性ガスケットに力が及ぶように、ｄ０より小さい距離ｄ１ほど互いに離れている状態の弾性ガスケットを示している。結果として、弾性ガスケットの形状は、変化している。弾性ガスケットの内側部分は、中間部分３０３の内側端３０３ａが、中間部分３０３の外側端３０３ｂに対して高さが低くなるように屈曲すると説明されてもよい。要するに、弾性ガスケットは、表面３０１ａ及び３０１ｂに垂直な方向に圧縮される。よって、弾性ガスケットのステップのような形状は、２つの直角３０６ａ及び３０６ｂによって形成された角度よりも小さい２つの角度３０８ａ及び３０８ｂを含む、よりはっきりとしたｚ形状に変形される。角度３０８ａ及び３０８ｂは、弾性ガスケットに及ぶ負荷が増加した結果、更に小さくなり得る。弾性ガスケットは、軸方向の力が弾性ガスケットの圧縮に応じて及び得るような負荷に弾力を提供し得る。ｚ形状は、軸方向に向けられた力が距離間隔にわたって直線的であり得るように、即ち、ｚ形状が弾性ガスケットに直線応答範囲を提供するように、圧縮への応答を更に提供する。図１に示されるように、レンズ部材１０２がホルダ部材１０６に螺合され、底面３０１ｂがホルダ部材１０６の底側１３０であり得ると、上面３０１ａは、例えば、付勢部材１２８に押圧されるレンズ部材１０２の一部であり得る。これにより、付勢部材１２８は、軸方向１２２にレンズ部材１０２に直線力を与え、内ねじ１１４、１１８及び外ねじ１１０の表面を共に押圧し得る。よって、内ねじ１１４、１１８と外ねじ１１０との間の動きが低減される。ホルダ部材１０６に対するレンズ部材１０２の軸方向の変位は、これにより軽減される。
【００５４】
ｚ形状の弾性ガスケットの圧縮性及び直線反応は、レンズ部材１０２とホルダ部材１０６との距離の調整を更に改善し得る。より具体的には、ｚ形状の弾性ガスケットは、レンズ部材１０２のホルダ部材１０６への分離が、非係合状態において所定の耐性で調節され得る直線的反応範囲を提供し得る。これにより、ホルダ部材１０６に対するレンズ部材１０２のより正確な調節が、提供され得る。
【００５５】
直線的反応範囲において、レンズ部材１０２のホルダ部材１０６に対する位置の調節は、監視現場から画像センサへの有効な集光及び再集光を更に可能にする。要するに、監視現場から画像センサ２０２に受容される配光及び集光の調整は、レンズ１０２ｄと画像センサ２０２との間の距離の直線的調整によって、より有効に調節され得る。直線反応範囲は、光レンズ１０２ｄの後方焦点距離の所定の変化をカバーし得る。直線反応範囲は、例えば、±１ｍｍであり、好ましくは０．２５ｍｍであり得る。よって、レンズ部材１０２のホルダ部材１０６に対する位置は、これらの範囲全域で直線的に調整され得る。当業者は、軸方向の力が直線である範囲が前述の値と異なることがあると理解するだろう。直線反応範囲は、例えば、直径又は弾性ガスケットの材料により決まることがある。
【００５６】
ｚ形状のガスケットは、前述のレンズ装置を含まない他の用途に使用されてもよいことに留意されたい。
【００５７】
当業者は、本発明はいかなる意味においても、上述の好ましい実施形態に限定されないと理解するだろう。寧ろ、添付の特許請求項の範囲内で多くの修正例及び変形例が可能である。
【００５８】
例えば、監視カメラは、映像シーケンスを提供するデジタルカメラであり得る。
【００５９】
弾性ガスケットは、シリコーンゴムを含み得る。これにより、頑丈で耐久性のある弾性ガスケットが、費用効率の高い方法で提供され得る。弾性ガスケットは、例えば、モールディングによって形成され得る。
【００６０】
調節部材は、底部係合面を形成する円錐台形シートを備え、受容部分は、ホルダ部材の受容部分の上部係合面を形成する円錐台形突起を有し得る。
【００６１】
軸方向は、レンズ装置の光軸であり得る。
【００６２】
更に、当業者は、図面、開示内容、及び添付の特許請求の範囲を精査することにより、特許請求される本発明を実施する際に、開示された実施形態の変形例を理解し実行することができる。特許請求の範囲において、「含む」という語は、他の要素又はステップを除外するものではなく、「１つの（ａ）」又は「１つの（ａｎ）」などの不定冠詞は、複数形を除外しない。ある特定の手段が互いに異なる独立請求項に列挙されているという単なる事実は、これらの手段の組み合わせが有利に使用され得ないとういことを示していない。
【図１】
0006397873.tif 000002
【図２】
0006397873.tif 000003
【図３】
0006397873.tif 000004